(57)【要約】  折り畳み式部材及びフレキシブル表示装置であって、前記折り畳み式部材は金属フレーム（２０）、保護ハウジング（３０）、及びフレキシブルヒンジ（４０）を含み、前記金属フレーム（２０）は、組立対象のフレキシブルディスプレイパネル（１０）を固定することに用いられ、前記保護ハウジング（３０）は組立対象の前記フレキシブルディスプレイパネル（１０）及び前記金属フレーム（２０）を固定することに用いられ、前記フレキシブルヒンジ（４０）は、前記保護ハウジングに固定され、前記フレキシブルヒンジ（４０）は回転軸、固定ワッシャ、付勢ワッシャ、可動ワッシャ及び皿ばねを含み、前記フレキシブルヒンジ（４０）が所定の角度範囲内に停止することを実現できる。
2020533649.tif 000002
【特許請求の範囲】
【請求項１】
折り畳み式部材であって、金属フレーム、保護ハウジング、及びフレキシブルヒンジを含み、
前記金属フレームは組立対象のフレキシブルディスプレイパネルを固定することに用いられ、
前記保護ハウジングは組立対象の前記フレキシブルディスプレイパネル及び前記金属フレームを固定することに用いられ、
前記フレキシブルヒンジは前記保護ハウジングに固定され、所定の角度範囲内に停止することに用いられ、
前記フレキシブルヒンジは回転軸、固定ワッシャ、付勢ワッシャ、可動ワッシャ及び皿ばねを含み、前記回転軸は前記固定ワッシャ、前記付勢ワッシャ、前記可動ワッシャ及び前記皿ばねと軸穴嵌合を形成し且つ一体に組み立てられ、隣接する２つの前記回転軸の軸心間距離が等しく、
前記固定ワッシャは、前記付勢ワッシャとタイトフィットを形成し、且つ前記回転軸と締り嵌めを形成し、前記可動ワッシャ及び前記皿ばねは前記回転軸と隙間嵌めを形成し、前記皿ばねは軸方向摩擦力を提供し、調整トルクによって前記フレキシブルヒンジを所定の角度範囲内に停止させるのを実現することに用いられる、折り畳み式部材。
【請求項２】
前記フレキシブルヒンジは少なくとも４つの前記回転軸を含み、１つの前記回転軸に２つずつもたれあう少なくとも１対の前記皿ばねが設置され、前記皿ばねの対称的な両側には、それぞれ１つの前記可動ワッシャ及び２つの前記付勢ワッシャが設置され、４つの前記付勢ワッシャがそれぞれ２つの前記可動ワッシャの両端に並列に設置され、前記可動ワッシャ及び前記付勢ワッシャの対称的な両側には、それぞれ２つの前記固定ワッシャが設置され、且つ前記固定ワッシャが前記可動ワッシャ及び前記付勢ワッシャとずれて設置される、請求項１に記載の折り畳み式部材。
【請求項３】
前記回転軸は、軸径が０．５ｍｍ〜３．０ｍｍであり、両端に面取り部が設置され、前記皿ばねを組み付けるために中間部位が円柱状であり、且つ前記回転軸の両側が平面である、請求項２に記載の折り畳み式部材。
【請求項４】
前記固定ワッシャ及び前記付勢ワッシャの穿孔に対応する箇所が四角形の孔であり、且つ前記回転軸と締り嵌めされ、前記固定ワッシャは所定の角度をなす２つの第１穿孔及び第２穿孔を含み、前記付勢ワッシャは１つの第３穿孔を含む、請求項３に記載の折り畳み式部材。
【請求項５】
前記固定ワッシャの前記付勢ワッシャと対向する側の表面に、２つの点対称の小ボスが設置され、前記付勢ワッシャの前記固定ワッシャと対向する側に、前記小ボスに対応する、前記小ボスとタイトフィットを形成するための１つの小円孔が設置される、請求項４に記載の折り畳み式部材。
【請求項６】
前記可動ワッシャは、前記回転軸と隙間嵌めを形成するための点対称の２つの第４穿孔を含み、１つの前記第４穿孔の周囲に、前記固定ワッシャの前記小ボスを避けるための１つの環状溝を有する、請求項５に記載の折り畳み式部材。
【請求項７】
前記固定ワッシャの両端は半円弧面であり、且つ前記半円弧面の耐摩耗度が所定値よりも大きく、隣接する２つの前記固定ワッシャの前記半円弧面が嵌合して駆動と従動の運動関係を形成し、前記付勢ワッシャの一端は、前記保護ハウジングと固定するための１つのハンドルを含む、請求項２に記載の折り畳み式部材。
【請求項８】
前記固定ワッシャの厚さは０．１ｍｍ〜２．０ｍｍであり、前記固定ワッシャ、前記可動ワッシャ、前記付勢ワッシャ及び前記皿ばねの厚さは同じに保持される、請求項１に記載の折り畳み式部材。
【請求項９】
フレキシブル表示装置であって、フレキシブルディスプレイパネル、及び折り畳み式部材を含み、
前記折り畳み式部材は前記フレキシブルディスプレイパネルに組み付けられて用いられ、
前記折り畳み式部材は金属フレーム、保護ハウジング、及びフレキシブルヒンジを含み、前記フレキシブルディスプレイパネルが、前記フレキシブルディスプレイパネルを固定するための前記金属フレームに貼着され、前記フレキシブルディスプレイパネル及び前記金属フレームが前記保護ハウジングに固定され、前記フレキシブルヒンジは前記保護ハウジングに固定され、所定の角度範囲内に停止することを実現することに用いられる、フレキシブル表示装置。
【請求項１０】
折り畳み式部材であって、金属フレーム、保護ハウジング、及びフレキシブルヒンジを含み、
前記金属フレームは組立対象のフレキシブルディスプレイパネルを固定することに用いられ、
前記保護ハウジングは組立対象の前記フレキシブルディスプレイパネル及び前記金属フレームを固定することに用いられ、
前記フレキシブルヒンジは前記保護ハウジングに固定され、所定の角度範囲内に停止することに用いられ、
前記フレキシブルヒンジは回転軸、固定ワッシャ、付勢ワッシャ、可動ワッシャ及び皿ばねを含み、前記回転軸は前記固定ワッシャ、前記付勢ワッシャ、前記可動ワッシャ及び前記皿ばねと軸穴嵌合を形成し且つ一体に組み立てられ、
前記固定ワッシャは前記付勢ワッシャとタイトフィットを形成し、且つ前記回転軸と締り嵌めを形成し、前記可動ワッシャ及び前記皿ばねは前記回転軸と隙間嵌めを形成し、前記皿ばねは軸方向摩擦力を提供し、調整トルクによって前記フレキシブルヒンジを所定の角度範囲内に停止させるのを実現することに用いられる、折り畳み式部材。
【請求項１１】
前記フレキシブルヒンジは少なくとも４つの前記回転軸を含み、１つの前記回転軸に２つずつもたれあう少なくとも１対の前記皿ばねが設置され、前記皿ばねの対称的な両側には、それぞれ１つの前記可動ワッシャ及び２つの前記付勢ワッシャが設置され、４つの前記付勢ワッシャがそれぞれ２つの前記可動ワッシャの両端に並列に設置され、前記可動ワッシャ及び前記付勢ワッシャの対称的な両側には、それぞれ２つの前記固定ワッシャが設置され、且つ前記固定ワッシャが前記可動ワッシャ及び前記付勢ワッシャとずれて設置される、請求項１０に記載の折り畳み式部材。
【請求項１２】
前記回転軸は、軸径が０．５ｍｍ〜３．０ｍｍであり、両端に面取り部が設置され、前記皿ばねに組み付けるために中間部位が円柱状であり、且つ前記回転軸の両側が平面である、請求項１１に記載の折り畳み式部材。
【請求項１３】
前記固定ワッシャ及び前記付勢ワッシャの穿孔に対応する箇所が四角形の孔であり、且つ前記回転軸と締り嵌めを形成し、前記固定ワッシャは所定の角度をなす２つの第１穿孔及び第２穿孔を含み、前記付勢ワッシャは１つの第３穿孔を含む、請求項１２に記載の折り畳み式部材。
【請求項１４】
前記固定ワッシャの前記付勢ワッシャと対向する側の表面に、２つの点対称の小ボスが設置され、前記付勢ワッシャの前記固定ワッシャと対向する側に、前記小ボスに対応する、前記小ボスとタイトフィットを形成するための１つの小円孔が設置される、請求項１３に記載の折り畳み式部材。
【請求項１５】
前記可動ワッシャは、前記回転軸と隙間嵌めを形成するための点対称の２つの第４穿孔を含み、１つの前記第４穿孔の周囲に、前記固定ワッシャの前記小ボスを避けるための１つの環状溝を有する、請求項１４に記載の折り畳み式部材。
【請求項１６】
前記固定ワッシャの両端は半円弧面であり、且つ前記半円弧面の耐摩耗度が所定値よりも大きく、隣接する２つの前記固定ワッシャの前記半円弧面が嵌合して駆動と従動の運動関係を形成し、前記付勢ワッシャの一端は、前記保護ハウジングと固定するための１つのハンドルを含む、請求項１１に記載の折り畳み式部材。
【請求項１７】
前記固定ワッシャの厚さは０．１ｍｍ〜２．０ｍｍであり、前記固定ワッシャ、前記可動ワッシャ、前記付勢ワッシャ及び前記皿ばねの厚さは同じに保持される、請求項１０に記載の折り畳み式部材。
【発明の詳細な説明】
【技術分野】
【０００１】
本発明は表示技術分野に関し、特に折り畳み式部材及びフレキシブル表示装置に関する。
【背景技術】
【０００２】
フレキシブルディスプレイパネルは軽量・薄型で、壊れにくく、湾曲及び折り畳みが可能で、着用可能である等の利点により、フレキシブルディスプレイパネルはますます多くの注目を集めつつある。
【０００３】
現在、ほとんどの折り畳み可能なフレキシブルディスプレイパネルでは、フレキシブルヒンジの構造が詳細に説明されておらず、且ついずれもトルクフリーヒンジであり、また、湾曲、折り畳み状態でフレキシブルディスプレイパネルにしわが生じやすく、且つ湾曲角度を維持することが困難であり、自然状態で元の状態に回復しやすい。
【０００４】
以上のように、従来技術の折り畳み式部材及びそれによって組み付けられたフレキシブル表示装置は、折り畳み中にディスプレイパネルのしわを引き起こす可能性があり、曲げ角度及び曲げ状態の調整が困難であり、自然状態で曲げ角度を維持することが困難である。
【発明の概要】
【発明が解決しようとする課題】
【０００５】
本発明は、しわのない湾曲及び折り畳み機能を実現でき、所定の角度範囲内に任意に停止し、且つ記憶機能及び高弾性を有し、迅速に元の状態に回復でき、それによりフレキシブル表示装置の性能を向上させることのできる、折り畳み式部材及びフレキシブル表示装置を提供する。
【課題を解決するための手段】
【０００６】
上記課題を解決するために、本発明に係る技術的手段は以下のとおりである。
【０００７】
本発明は折り畳み式部材を提供し、金属フレーム、保護ハウジング、及びフレキシブルヒンジを含み、前記金属フレームは組立対象のフレキシブルディスプレイパネルを固定することに用いられ、前記保護ハウジングは組立対象の前記フレキシブルディスプレイパネル及び前記金属フレームを固定することに用いられ、前記フレキシブルヒンジは前記保護ハウジングに固定され、所定の角度範囲内に停止することに用いられ、前記フレキシブルヒンジは回転軸、固定ワッシャ、付勢ワッシャ、可動ワッシャ及び皿ばねを含み、前記回転軸は前記固定ワッシャ、前記付勢ワッシャ、前記可動ワッシャ及び前記皿ばねと軸穴嵌合を形成し且つ一体に組み立てられ、隣接する２つの前記回転軸の軸心間距離が等しく、前記固定ワッシャは、前記付勢ワッシャとタイトフィットを形成し、且つ前記回転軸と締り嵌めを形成し、前記可動ワッシャ及び前記皿ばねは前記回転軸と隙間嵌めを形成し、前記皿ばねは軸方向摩擦力を提供し、調整トルクによって前記フレキシブルヒンジを所定の角度範囲内に停止させるのを実現することに用いられる。
【０００８】
本発明の一好適実施例では、前記フレキシブルヒンジは少なくとも４つの前記回転軸を含み、１つの前記回転軸に２つずつもたれあう少なくとも１対の前記皿ばねが設置され、前記皿ばねの対称的な両側には、それぞれ１つの前記可動ワッシャ及び２つの前記付勢ワッシャが設置され、４つの前記付勢ワッシャがそれぞれ２つの前記可動ワッシャの両端に並列に設置され、前記可動ワッシャ及び前記付勢ワッシャの対称的な両側には、それぞれ２つの前記固定ワッシャが設置され、且つ前記固定ワッシャが前記可動ワッシャ及び前記付勢ワッシャとずれて設置される。
【０００９】
本発明の一好適実施例では、前記回転軸は、軸径が０．５ｍｍ〜３．０ｍｍであり、両端に面取り部が設置され、前記皿ばねを組み付けるために中間部位が円柱状であり、且つ前記回転軸の両側が平面である。
【００１０】
本発明の一好適実施例では、前記固定ワッシャ及び前記付勢ワッシャの穿孔に対応する箇所が四角形の孔であり、且つ前記回転軸と締り嵌めを形成し、前記固定ワッシャは所定の角度をなす２つの第１穿孔及び第２穿孔を含み、前記付勢ワッシャは１つの第３穿孔を含む。
【００１１】
本発明の一好適実施例では、前記固定ワッシャの前記付勢ワッシャと対向する側の表面に、２つの点対称の小ボスが設置され、前記付勢ワッシャの前記固定ワッシャと対向する側に、前記小ボスに対応する、前記小ボスとタイトフィットを形成するための１つの小円孔が設置される。
【００１２】
本発明の一好適実施例では、前記可動ワッシャは、前記回転軸と隙間嵌めを形成するための点対称の２つの第４穿孔を含み、１つの前記第４穿孔の周囲に１つの前記固定ワッシャの前記小ボスを避けるための環状溝を有する。
【００１３】
本発明の一好適実施例では、前記固定ワッシャの両端は半円弧面であり、且つ前記半円弧面の耐摩耗度が所定値よりも大きく、隣接する２つの前記固定ワッシャの前記半円弧面が嵌合して駆動と従動の運動関係を形成し、前記付勢ワッシャの一端は、前記保護ハウジングと固定するための１つのハンドルを含む。
【００１４】
本発明の一好適実施例では、前記固定ワッシャの厚さは０．１ｍｍ〜２．０ｍｍであり、前記固定ワッシャ、前記可動ワッシャ、前記付勢ワッシャ及び前記皿ばねの厚さは同じに保持される。
【００１５】
本発明はさらにフレキシブル表示装置を提供し、前記フレキシブル表示装置はフレキシブルディスプレイパネル、及び折り畳み式部材を含み、前記折り畳み式部材は前記フレキシブルディスプレイパネルに組み付けられて用いられ、前記折り畳み式部材は金属フレーム、保護ハウジング、及びフレキシブルヒンジを含み、前記フレキシブルディスプレイパネルが、前記フレキシブルディスプレイパネルを固定するための前記金属フレームに貼着され、前記フレキシブルディスプレイパネル及び前記金属フレームが前記保護ハウジングに固定され、前記フレキシブルヒンジは前記保護ハウジングに固定され、所定の角度範囲内に停止することを実現することに用いられる。
【００１６】
本発明はさらに折り畳み式部材を提供し、金属フレーム、保護ハウジング、及びフレキシブルヒンジを含み、前記金属フレームは組立対象のフレキシブルディスプレイパネルを固定することに用いられ、前記保護ハウジングは組立対象の前記フレキシブルディスプレイパネル及び前記金属フレームを固定することに用いられ、前記フレキシブルヒンジは前記保護ハウジングに固定され、所定の角度範囲内に停止することに用いられ、前記フレキシブルヒンジは回転軸、固定ワッシャ、付勢ワッシャ、可動ワッシャ及び皿ばねを含み、前記回転軸は前記固定ワッシャ、前記付勢ワッシャ、前記可動ワッシャ及び前記皿ばねと軸穴嵌合を形成し且つ一体に組み立てられることに用いられ、前記固定ワッシャは前記付勢ワッシャとタイトフィットを形成し、且つ前記回転軸と締り嵌めを形成し、前記可動ワッシャ及び前記皿ばねは前記回転軸と隙間嵌めを形成し、前記皿ばねは軸方向摩擦力を提供し、調整トルクによって前記フレキシブルヒンジを所定の角度範囲内に停止させるのを実現することに用いられる。
【００１７】
本発明の一好適実施例では、前記フレキシブルヒンジは少なくとも４つの前記回転軸を含み、１つの前記回転軸に２つずつもたれあう少なくとも１対の前記皿ばねが設置され、前記皿ばねの対称的な両側には、それぞれ１つの前記可動ワッシャ及び２つの前記付勢ワッシャが設置され、４つの前記付勢ワッシャがそれぞれ２つの前記可動ワッシャの両端に並列に設置され、前記可動ワッシャ及び前記付勢ワッシャの対称的な両側には、それぞれ２つの前記固定ワッシャが設置され、且つ前記固定ワッシャが前記可動ワッシャ及び前記付勢ワッシャとずれて設置される。
【００１８】
本発明の一好適実施例では、前記回転軸は、軸径が０．５ｍｍ〜３．０ｍｍであり、両端に面取り部が設置され、前記皿ばねを組み付けるために中間部位が円柱状であり、且つ前記回転軸の両側が平面である。
【００１９】
本発明の一好適実施例では、前記固定ワッシャ及び前記付勢ワッシャの穿孔に対応する箇所が四角形の孔であり、且つ前記回転軸と締り嵌めを形成し、前記固定ワッシャは所定の角度をなす２つの第１穿孔及び第２穿孔を含み、前記付勢ワッシャは１つの第３穿孔を含む。
【００２０】
本発明の一好適実施例では、前記固定ワッシャの前記付勢ワッシャと対向する側の表面に、２つの点対称の小ボスが設置され、前記付勢ワッシャの前記固定ワッシャと対向する側に、前記小ボスに対応する、前記小ボスとタイトフィットを形成するための１つの小円孔が設置される。
【００２１】
本発明の一好適実施例では、前記可動ワッシャは、前記回転軸と隙間嵌めを形成するための点対称の２つの第４穿孔を含み、１つの前記第４穿孔の周囲に、前記固定ワッシャの前記小ボスを避けるための１つの環状溝を有する。
【００２２】
本発明の一好適実施例では、前記固定ワッシャの両端は半円弧面であり、且つ前記半円弧面の耐摩耗度が所定値よりも大きく、隣接する２つの前記固定ワッシャの前記半円弧面が嵌合して駆動と従動の運動関係を形成し、前記付勢ワッシャの一端は、前記保護ハウジングと固定するための１つのハンドルを含む。
【００２３】
本発明の一好適実施例では、前記固定ワッシャの厚さは０．１ｍｍ〜２．０ｍｍであり、前記固定ワッシャ、前記可動ワッシャ、前記付勢ワッシャ及び前記皿ばねの厚さは同じに保持される。
【発明の効果】
【００２４】
本発明の有益な効果は、以下のとおりである。従来の折り畳み式部材及びフレキシブル表示装置に比べて、本発明の折り畳み式部材及びフレキシブル表示装置は、曲げ可能で、且つ締り嵌め、隙間嵌め及びタイトフィットによって調整可能トルクを実現するフレキシブルヒンジを、フレキシブルディスプレイパネルのキャリアとして記憶機能を有する高靭性、高弾性材料製の金属フレーム又は金属板と組み合わせることにより、フレキシブルヒンジのリミット作用及び金属フレーム又は金属板の弾性作用で、しわのない湾曲及び折り畳み機能を実現する。更に、所定の角度範囲内に任意に停止し且つ該状態を維持することができるとともに、迅速に元の状態に回復でき、さらにフレキシブル表示装置の性能を向上させる。
【図面の簡単な説明】
【００２５】
実施例又は従来技術における技術的手段をより明瞭に説明するために、以下、実施例又は従来技術の説明に使用される必要がある図面を簡単に説明する。明らかなように、以下説明される図面は単に発明のいくつかの実施例に過ぎず、当業者にとっては、創造的な努力をせずに、これらの図面に基づきほかの図面を取得し得る。
【００２６】
【図１】図１は本発明に係る折り畳み式部材によって組み付けられたフレキシブル表示装置の斜視図である。
【図２ａ】図２ａは本発明に係るフレキシブル表示装置の折り畳みスタイルの一例の模式図である。
【図２ｂ】図２ｂは本発明に係るフレキシブル表示装置の別の折り畳みスタイルの模式図である。
【図２ｃ】図２ｃは本発明に係るフレキシブル表示装置の別の折り畳みスタイルの模式図である。
【図３】図３は本発明に係るフレキシブルヒンジの斜視図である。
【図４】図４は本発明に係るフレキシブルヒンジの回転軸の斜視図である。
【図５】図５は本発明に係るフレキシブルヒンジの固定ワッシャの正面図である。
【図６】図６は本発明に係るフレキシブルヒンジの固定ワッシャの背面図である。
【図７】図７は本発明に係るフレキシブルヒンジの可動ワッシャの正面図である。
【図８】図８は本発明に係るフレキシブルヒンジの付勢ワッシャの斜視図である。
【図９】図９は本発明に係るフレキシブルヒンジの皿ばねの斜視図である。
【図１０】図１０は本発明に係るフレキシブルヒンジの側面図である。
【図１１】図１１は本発明に係るフレキシブルヒンジ構造の図１０中のＡ−Ａ線断面図である。
【発明を実施するための形態】
【００２７】
以下、各実施例の説明は添付図面を参照して行われ、本発明の実施に用いられ得る特定の実施例を例示することに用いられる。本発明に言及される方向用語、例えば「上」、「下」、「前」、「後」、「左」、「右」、「内」、「外」、「側面」等は単に添付図面を参照する方向である。従って、使用される方向用語は本発明を説明して理解するためのものであり、本発明を限定するためのものではない。図には、構造が類似するユニットは同一符号で示される。
【００２８】
本発明は、従来技術の折り畳み式部材及びフレキシブル表示装置では、折り畳み中、ディスプレイパネルにしわが生じやすく、曲げ角度及び曲げ状態の調整が困難であり、自然状態で曲げ角度を維持することが困難であることにより、フレキシブル表示装置の性能に悪影響を与えるという技術的課題に対してなされ、本実施例は該欠陥を解決することができる。
【００２９】
図１は、本発明に係る折り畳み式部材によって組み付けられたフレキシブル表示装置の斜視図であり、フレキシブルディスプレイパネル１０及び折り畳み式部材を含み、上記折り畳み式部材は上記フレキシブルディスプレイパネル１０に組み付けられて用いられ、そのうち、上記折り畳み式部材は金属フレーム２０、保護ハウジング３０及びフレキシブルヒンジ４０を含み、上記金属フレーム２０は、金属板であってもよく、上記フレキシブルディスプレイパネル１０が、上記フレキシブルディスプレイパネル１０を固定するための上記金属フレーム２０に貼着され、上記フレキシブルディスプレイパネル１０及び上記金属フレーム２０が上記保護ハウジング３０に固定され、上記フレキシブルヒンジ４０は上記保護ハウジング３０に固定される。そのうち、上記金属フレーム２０は上記フレキシブルディスプレイパネル１０のキャリアとして、記憶機能を有し且つ高弾性及び高靭性を確保し、その記憶機能により上記フレキシブル表示装置を迅速に元の状態に回復させることができる。上記金属フレーム２０は高分子薄板、金属薄板等であってもよく、上記金属フレームの中空形状は中間長尺状、鋸歯状、波状等であってもよく、可撓性を向上させる。上記フレキシブル表示装置はしわのない湾曲及び折り畳み機能を実現し、所定の角度範囲内に停止することを実現することができる。上記保護ハウジング３０内にさらに電池、マザーボード、カメラ及びフレキシブル回路基板等の部品の組立空間が予め用意されている。
【００３０】
上記折り畳み式部材の違いによって、上記フレキシブル表示装置は異なる形態に分けられるようにしてもよく、例えば、図２ａに示すように、上記フレキシブル表示装置の折り畳みスタイルの一例の模式図であり、図２ｂは実施例に係る上記フレキシブル表示装置の別の折り畳みスタイルの模式図であり、図２ｃは上記フレキシブル表示装置の別の折り畳みスタイルの模式図であり、上記フレキシブル表示装置を実際の需要及び上記折り畳み式部材のスタイルに応じて様々な形態に調整でき、ここでは限定しない。
【００３１】
本発明はさらに上記フレキシブル表示装置に組み付けるフレキシブルヒンジを提供し、図３は、本発明に係るフレキシブルヒンジの斜視図であり、上記フレキシブルヒンジは回転軸、固定ワッシャ、付勢ワッシャ、可動ワッシャ及び皿ばね４６０を含み、そのうち、上記回転軸は少なくとも第１回転軸４１１、第２回転軸４１２、第３回転軸４１３、及び第４回転軸４１４を含み、上記固定ワッシャは少なくとも第１固定ワッシャ４２１、第２固定ワッシャ４２２、第３固定ワッシャ４２３、及び第４固定ワッシャ４２４を含み、上記付勢ワッシャは少なくとも第１付勢ワッシャ４３１、第２付勢ワッシャ４３２、第３付勢ワッシャ４４１、及び第４付勢ワッシャ４４２を含み、上記可動ワッシャは少なくとも第１可動ワッシャ４５１、及び第２可動ワッシャ４５２を含む。上記回転軸は上記固定ワッシャ、上記付勢ワッシャ、上記可動ワッシャ及び上記皿ばね４６０と軸穴嵌合を形成し且つ一体に組み立てられることに用いられる。
【００３２】
図４は、本実施例に係るフレキシブルヒンジの回転軸の斜視図であり、上記回転軸４１０は第１回転軸、第２回転軸、第３回転軸及び第４回転軸を含み、上記回転軸４１０の両端に面取り部４１０−ａが設置されるとにより組立が容易になる。上記回転軸４１０の中間部位４１０−ｃは円柱状であり、円柱状の上記中間部位４１０−ｃは皿ばねを組み付ける位置であり、上記回転軸４１０の両側部位４１０−ｂは、固定ワッシャ、付勢ワッシャ及び可動ワッシャを組み付けるために平面構造であり、且つ隣接する２つの上記平面の間に面取り部が設置され、それによって組立が容易になる。
上記回転軸４１０の軸径は０．５ｍｍ〜３．０ｍｍである。
【００３３】
図５は、本実施例に係るフレキシブルヒンジの固定ワッシャの正面図であり、上記固定ワッシャ４２０は第１半円弧面４２０−ｅ、及び第２半円弧面４２０−ｆを含み、上記第１半円弧面４２０−ｅ及び上記第２半円弧面４２０−ｆは所定範囲の耐摩耗度を有し、上記固定ワッシャ４２０は２つの異なる角度の四角形の穿孔を有する。本実施例では、好適には、水平方向の第１穿孔４２０−ａ及び垂直方向の第２穿孔４２０−ｂであり、上記第１穿孔４２０−ａと上記第２穿孔４２０−ｂは９０度の夾角をなし、且つ回転軸と軸穴嵌合を形成し、且つ締り嵌めである。上記第１穿孔４２０−ａと上記第２穿孔４２０−ｂは接続状態であり、且つ接続貫通孔の孔径が上記第１穿孔４２０−ａ及び上記第２穿孔４２０−ｂの孔径よりも小さい。図６は、上記固定ワッシャの背面図であり、上記固定ワッシャの背面に２つの点対称の小ボス４２０−ｄを含み、それぞれ上記第１穿孔４２０−ａの下方及び上記第２穿孔４２０−ｂの上方に位置し、上記小ボス４２０−ｄは付勢ワッシャとタイトフィットを形成することに用いられる。
【００３４】
図７は、本実施例に係るフレキシブルヒンジの可動ワッシャの正面図である。上記可動ワッシャの両端は２つの半円弧面を含み、上記可動ワッシャは、上記可動ワッシャを回転軸に組み付けるための２つの点対称の円形の第４穿孔４５０−ａを含み、且つ上記回転軸と軸穴嵌合を形成し、且つ隙間嵌めである。上記可動ワッシャの正面に２つの環状溝４５０−ｃを有し、それぞれ２つの上記第４穿孔４５０−ａの周囲に位置し、主に固定ワッシャにおける１つの小ボスを避けることに用いられる。上記環状溝４５０−ｃは上記小ボスの運動位置に対応し、上記環状溝４５０−ｃの深さは上記固定ワッシャの上記小ボスの高さよりも大きい。
【００３５】
図８は、本実施例に係るフレキシブルヒンジの付勢ワッシャの斜視図である。上記付勢ワッシャの一端に四角形の、主に上記付勢ワッシャを回転軸に組み付けるための１つの第３穿孔４３０−ａを含み、且つ上記回転軸と軸穴嵌合を形成し、且つ締り嵌めである。上記付勢ワッシャはさらに１つの小円孔４３０−ｃを含み、上記小円孔４３０−ｃは固定ワッシャの小ボスに対応し且つ上記小ボスとタイトフィットを形成し、リミット作用を発揮する。上記付勢ワッシャの他端には、さらに１つのハンドル４３０−ｂを含み、上記ハンドル４３０−ｂは折り畳み式部材の保護ハウジングと固定可能であり、その固定方式はねじ、溶接、フック／バックル等の方式であってもよく、ここでは限定しない。
【００３６】
図９は、本実施例に係るフレキシブルヒンジの皿ばねの斜視図であり、上記皿ばね４６０は１つの円形の、上記皿ばね４６０を回転軸に組み付けるための第５穿孔４６０−ａを含み、且つ上記回転軸と軸穴嵌合を形成し、且つ隙間嵌めである。上記皿ばね４６０は業界標準を参照して選択でき、主なパラメータは内径、外径、厚さ、内側高さ、外側高さである。本実施例における上記皿ばね４６０は２枚がもたれあう形態を取るが、実際の状況に応じてほかの形態で組み合わせてもよく、例えば、３枚が平行に積層される形態、４枚が直列に積層される形態、２枚が平行で３回直列に積層される形態等がある。本実施例における上記皿ばね４６０はタイトフィットのプリロード力に応じて、軸方向摩擦力を提供し、フレキシブルヒンジを所定の角度範囲内に停止させることを実現する。
【００３７】
上記固定ワッシャ、可動ワッシャ、付勢ワッシャ、及び皿ばねの厚さは、確実に、いずれも同じになるようにする必要があり、厚さｔの範囲は０．１ｍｍ〜２．０ｍｍである。
【００３８】
図１０は、本実施例に係るフレキシブルヒンジの側面図である。固定治具（図示せず）で４本の回転軸４１０を固定し、ポカヨケのために、第１回転軸４１１と第３回転軸４１３が同一の角度を維持し、第２回転軸４１２と第４回転軸４１４が同一の角度を維持し、且つ上記第１回転軸４１１、第３回転軸４１３と第２回転軸４１２、第４回転軸４１４とは所定角度ずれている。本実施例では、水平及び垂直方向を採用し、第１固定ワッシャ４２１、及び第２固定ワッシャ４２２を順に取り付け、上記第１固定ワッシャ４２１、及び上記第２固定ワッシャ４２２が上記回転軸４１０と締り嵌めされ、相対回転しないことを確実にする。さらに、第１付勢ワッシャ４３１、第１可動ワッシャ４５１、及び第３付勢ワッシャ４４１を順に取り付け、そのうち、第１付勢ワッシャ４３１、及び第３付勢ワッシャ４４１が回転軸４１０と締り嵌めされ、相対回転しないことを確実にし、第１可動ワッシャ４５１が上記第２回転軸４１２、上記第３回転軸４１３と隙間嵌めされる。続いて、８つの皿ばね４６０を順に取り付け、２つずつもたれあうようにそれぞれ各回転軸に組み付け、且つ上記回転軸４１０と隙間嵌めされ、その後、第２付勢ワッシャ４３２、第２可動ワッシャ４５２、及び第４付勢ワッシャ４４２を順に取り付ける。ここで、上記第２付勢ワッシャ４３２、及び上記第４付勢ワッシャ４４２が上記回転軸４１０と締り嵌めされ、相対回転しないことを確実にし、上記第２可動ワッシャ４５２が上記第２回転軸４１２、及び上記第３回転軸４１３と隙間嵌めされる。最後に、第３固定ワッシャ４２３、及び第４固定ワッシャ４２４を順に取り付け、上記第３固定ワッシャ４２３、及び上記第４固定ワッシャ４２４が上記回転軸４１０に締り嵌めされ、相対回転しないことを確実にする。
【００３９】
図１１は、本実施例に係るフレキシブルヒンジ構造の図１０中のＡ−Ａ線断面図である。第３固定ワッシャ４２３及び第２可動ワッシャ４５２が第２回転軸４１２に組み付けられ、上記第３固定ワッシャ４２３は２つの小ボス４２３−ｄを含み、上記第２可動ワッシャ４５２は上記小ボス４２３−ｄに対応する環状溝４５２−ｃを含み、上記環状溝４５２−ｃは上記小ボス４２３−ｄを避けることに用いられる。第１固定ワッシャ４２１及び第１付勢ワッシャ４３１が第１回転軸４１１に組み付けられ、上記第１固定ワッシャ４２１の上記第１付勢ワッシャ４３１に接触する面に２つの小ボス４２１−ｄが設置され、上記第１付勢ワッシャ４３１に１つの小円孔４３１−ｃが上記小ボス４２１−ｄに対応して設置され、上記小ボス４２１−ｄが上記小円孔４３１−ｃとタイトフィットを形成する。
【００４０】
付勢ワッシャ及び固定ワッシャがいずれも対応する回転軸と締り嵌めされるため、付勢ワッシャが外力作用を受けて回転すると、それと締り嵌めされる回転軸が回転することを引き起こし、それにより該回転軸がそれと締り嵌めする固定ワッシャを回転駆動する。隣接する２つの固定ワッシャの間の半円弧面が所定の耐摩耗度を有するため、耐摩耗度が所定値よりも大きい時、該隣接する２つの固定ワッシャが嵌合して駆動と従動の運動関係を形成する。更に、固定ワッシャの小ボスが付勢ワッシャの小円孔とタイトフィットされて、リミット作用を実現する。皿ばねはタイトフィットのプリロード力に応じて、軸方向摩擦力を提供し、一体に組み立てることにより調整可能なトルクが発生するため、所定角度の曲げを実現し、隣接する２つの回転軸の軸心間距離は等しい該状態を維持することができる。
【００４１】
実際の状況に応じて、本実施例のフレキシブルヒンジを拡張することができる。縦方向において６軸、８軸、…２ｎ軸まで拡張してもよく、また幅方向において拡張してもよい。固定ワッシャが依然として回転軸の最外両側に組み付けられ、中間部には、対応する数の可動ワッシャ、付勢ワッシャ及び皿ばねを追加することができ、数は実際の状況に応じて決定できるが、ここでは限定しない。
【００４２】
従来の折り畳み式部材及びフレキシブル表示装置に比べて、本発明の折り畳み式部材及びフレキシブル表示装置は、曲げ可能で、且つ締り嵌め、隙間嵌め及びタイトフィットによって調整可能トルクを実現するフレキシブルヒンジを、フレキシブルディスプレイパネルのキャリアとして記憶機能を有する高靭性、高弾性材料製の金属フレーム又は金属板と組み合わせることにより、フレキシブルヒンジのリミット作用及び金属フレーム又は金属板の弾性作用で、しわのない湾曲及び折り畳み機能を実現する。さらにフレキシブル表示装置の性能を向上させる。
【００４３】
以上のように、本発明の好適実施例を開示したが、上記好適実施例は本発明を限定するものではなく、当業者は本発明の精神及び範囲を逸脱せずに種々の変更や修飾を行うことができ、従って、本発明の保護範囲は特許請求の範囲に定められた範囲に準じるべきである。
【符号の説明】
【００４４】
１０  フレキシブルディスプレイパネル
２０  金属フレーム
３０  保護ハウジング
４０  フレキシブルヒンジ
４１０  回転軸
４１０−ａ  面取り部
４１０−ｂ  両側部位
４１０−ｃ  中間部位
４１１  第１回転軸
４１２  第２回転軸
４１３  第３回転軸
４１４  第４回転軸
４２０  固定ワッシャ
４２０−ａ  第１穿孔
４２０−ｂ  第２穿孔
４２０−ｄ  小ボス
４２０−ｅ  第１半円弧面
４２０−ｆ  第２半円弧面
４２１  第１固定ワッシャ
４２１−ｄ  小ボス
４２２  第２固定ワッシャ
４２３  第３固定ワッシャ
４２３−ｄ  小ボス
４２４  第４固定ワッシャ
４３０−ａ  第３穿孔
４３０−ｂ  ハンドル
４３０−ｃ  小円孔
４３１  第１付勢ワッシャ
４３１−ｃ  小円孔
４３２  第２付勢ワッシャ
４４１  第３付勢ワッシャ
４４２  第４付勢ワッシャ
４５０−ａ  第４穿孔
４５０−ｃ  環状溝
４５１  第１可動ワッシャ
４５２  第２可動ワッシャ
４５２−ｃ  環状溝
４６０−ａ  第５穿孔
【図１】
2020533649.tif 000003
【図２ａ】
2020533649.tif 000004
【図２ｂ】
2020533649.tif 000005
【図２ｃ】
2020533649.tif 000006
【図３】
2020533649.tif 000007
【図４】
2020533649.tif 000008
【図５】
2020533649.tif 000009
【図６】
2020533649.tif 000010
【図７】
2020533649.tif 000011
【図８】
2020533649.tif 000012
【図９】
2020533649.tif 000013
【図１０】
2020533649.tif 000014
【図１１】
2020533649.tif 000015
【国際調査報告】
2020533649.tif 000016
2020533649.tif 000017
2020533649.tif 000018
2020533649.tif 000019
2020533649.tif 000020